(57)【要約】      （修正有）【課題】描画面を床面に対して、あらゆる傾斜角度にも、常時、安定した状態で設置できる垂直設置可能な描画用及び展示用画架の提供。【解決手段】画架の受台６と画布押え１との間に、画布又は展示物１３を挟み込み、その掲載位置を可変するには、受台６及び画布押え１のそれぞれのツマミにて調整する。また、画布又は展示物１３全体の掲載角度を可変するには、後脚９のツマミを左回転させながら緩めて、画架の前面部の角度を可変する。所定の角度に確定すると、再度、ツマミを右回転させながら締め付けて、前面部と後脚９を固定する。そのとき、前脚二点と後脚一点とを含む三角形の面積は変化せず、すなわち、傾斜角度の変化に対しても、常に、床面との接地面積が一定となり、画架本体の安定状態を維持する。【選択図】図１
0003121626.tif 000002
【実用新案登録請求の範囲】
【請求項１】
描画用及び展示用画架において、
本体の左右前脚と床面との各接地点、及び後脚と床面との接地点の、三つの支点を有す
ることを特徴とし、前脚と後脚との連結部位を可動することにより、傾斜機能を具備し
た画架。
【請求項２】
描画用及び展示用画架において、
本体を床面に対して、いかなる傾斜角度に設置した場合でも、前脚二点と後脚一点とを
含む三角形の面積は常に一定となり、すなわち、安定状態を維持することを特徴とし
た画架。
【請求項３】
描画用及び展示用画架において、
本体及び付属（画布押え及び受台）の材料は、木、合板、金属、及び樹脂であることを特徴とする画架。
【考案の詳細な説明】
【技術分野】
【０００１】
本発明は、描画用及び展示用としての画架において、その用途目的に対して、機能性及び安定性を独自に開発し、それを具現化したものである。
【背景技術】
【０００２】
描画用の場合、従来の画架を安定に設置するには、構造上、垂直に対して後傾角度を大きくせざるをえませんでした。逆に、垂直に対する後傾角度を大きくしないと、安定に設置できません。
【０００３】
そのような状況の中で、実際の描画現場においては、描画しようとするモチ−フが、床面に対して垂直なのに、画架を設置して描画する場合、描画面の垂直に対する後傾角度が大きいと、その描画の分割比率に差異が生じ、描画作業に支障をきたしておりました。
【０００４】
すなわち、理想的には、描画面も床面に対して、限りなく垂直に近い状態で、描画作業ができる画架を必要とした。また、描画作業中、描画面の垂直に対する後傾角度が大きい場合、太陽光線等が反射して、描画面が見ずらいという現象が時としてある。その現象を解消するにも、前記と同様、描画面を床面に対して、限りなく垂直に近い状態に設置する必要がある。
【０００５】
一方、展示用の場合、垂直に対する後傾角度が大きいと、近距離（約2メ−トル以下）
では展示物と目線位置とは合致するが、中距離（約３メ−トルから5メ−トルぐらい）
ではかなりずれる為、その展示物への認知効果が薄れる。すなわち、中距離まで認知効
果を高めるためには、展示物を限りなく垂直に近い状態に設置する必要がある。しかも、
その設置時の安定性が強く要求される。
【０００６】
しかし、従来の画架を床面に対して、限りなく垂直に近い状態に設置するには、後
脚を閉じる方向に移動する必要がある。しかし、そうすればするほど、床面との前脚接
地二点と床面との後脚接地点を含む三角形の面積（接地面積）が小さくなり、非常に不
安定となり、最後は画架自体が横転するという問題が生じた。
【考案の開示】
【考案が解決しようとする課題】
【０００７】
解決しようとする問題点は、画架としてその本体を常に安定に設置でき、且つ、画面を
限りなく垂直に近い角度に設置できる機能がなかった点である。
【課題を解決するための手段】
【０００８】
本発明は、画架の左右前脚と床面との各接地点、及び後脚と床面との接地点の三つの支
点を有し、さらに前脚と後脚とを金具にて連結し、それをを保持しながら可動する。
そうすることにより、各脚部と床面との接地面積を変化させずに、すなわち、描画面を
安定に且つ、自由に傾斜できる機能を持たせたことを特徴とする。
【考案の効果】
【０００９】
本発明の画架は、描画面を床面に対して、あらゆる傾斜角度にも、常時、安定した状態
で設置できるという利点である。
【考案を実施するための最良の形態】
【００１０】
以下、本発明の実施の形態を図1〜図5に基づいて説明する。本発明による画架の部材構成は、画布又は展示物13を保持する前面部と、その前面部を支える後脚部、及び画布又は展示物13の位置を可変して保持できる付属部から成り立つ。
【００１１】
前面部は、中柱2に上桟5と下桟7を裏側から、木ねじにて結合され、さらに、左前脚3と右前脚4を同様、裏側から木ネジにて結合されたものである。
【００１２】
一方、後脚部のほうは、中柱2の裏側に、木ネジにて固定されたスライド金具8に、予め、その厚み分の切り込み加工した後脚9を挿入し、その部材の反対方向から、オネジである六角ボルト12を圧入し、手前方向よりメネジであるツマミ11を右回転させて固定する。
【００１３】
後脚9を支持するための固定金具10は、後脚9の長穴加工箇所を貫通させ、その両端を左右前脚3及び4の穴へ挿入して連結する。但し、その穴径は固定金具10の外径より多少大きくして、その部位が回転する機能を持たせるようにする。
【実施例１】
【００１４】
本発明の画架の受台6と画布押え1との間に、画布又は展示物13を挟み込み、その掲載位置を可変するには、受台6及び画布押え1のそれぞれのツマミにて調整する。また、画布又は展示物13全体の掲載角度を可変するには、後脚9のツマミ11を左回転させながら緩めて、画架の前面部の角度を可変する。所定の角度に確定すると、再度、ツマミ11を右回転させながら締め付けて、前面部と後脚9を固定する。そのとき、前脚二点と後脚一点とを含む三角形の面積は変化せず、すなわち、傾斜角度の変化に対しても、常に、床面との接地面積が一定となり、画架本体の安定状態を維持する。
【産業上の利用可能性】
【００１５】
本発明である機能は、既存のすべての画架に利用でき、描画用途又は展示用途、老若男女問わず、誰でも簡単に操作して使用できる。室内画架はともかく、野外画架としても、本発明を採用することにより、従来品より安定性が具備され、より快適な描画及び展示等を提供できる。従来の画架の構造のほとんどが、一点支点機構だっただけに、その新規性の効果が高く評価されるものとする。
【図面の簡単な説明】
【００１６】
【図１】描画用及び展示用画架の、正面側からの斜視図である。
【図２】描画用及び展示用画架を前傾したときの、側面図である。
【図３】描画用及び展示用画架を後傾したときの、側面図である。
【図４】画架の後脚部の詳細図である。
【符号の説明】
【００１７】
1画布押え
2中柱
3左前脚
4右前脚
5上桟
6受台
7下桟
8スライド金具
9後脚
10固定金具
11ツマミ
12六角ボルト
13画布又は展示物
【図１】
0003121626.tif 000003
【図２】
0003121626.tif 000004
【図３】
0003121626.tif 000005
【図４】
0003121626.tif 000006
【手続補正書】
【提出日】平成18年2月27日(2006.2.27)
【手続補正１】
【補正対象書類名】実用新案登録請求の範囲
【補正対象項目名】全文
【補正方法】変更
【補正の内容】
【実用新案登録請求の範囲】
【請求項１】
描画用及び展示用画架において、
本体の左右前脚と床面との各接地点、及び後脚と床面との接地点の、三つの支点を有することを特徴とし、前脚と後脚との連結部位を可動することにより、傾斜機能を具備した画架。
【請求項２】
描画用及び展示用画架において、
本体を床面に対して、いかなる傾斜角度に設置した場合でも、前脚二点と後脚一点とを含む三角形の面積は常に一定となり、すなわち、安定状態を維持することを特徴とする請求項1記載の画架。
【請求項３】
描画用及び展示用画架において、
本体及び付属（画布押え及び受台）の材料は、木、合板、金属、及び樹脂であることを特徴とする請求項1記載の画架。